(57)【要約】  【課題】  パルス管冷凍機の発生する振動に影響を受けないようにするとともに小型化も実現するため、発生する振動の周波数を調整可能とするパルス管冷凍機、および、このようなパルス管冷凍機を搭載したパルス管冷凍機搭載装置を提供する。  【解決手段】  一対のピストン２ａを対向に配置した振動型圧縮機２を有する冷凍機本体１ａと、  地域の商用電源周波数を検出し、この商用電源周波数と一致するように振動型圧縮機２の駆動周波数を切り換え制御する周波数検出制御部７と、  切換えられた駆動周波数による交流駆動電力を供給して振動型圧縮機２を駆動する駆動電源部６と、  を備えるパルス管冷凍機１とした。  また、このようなパルス管冷凍機１を搭載したパルス管冷凍機搭載装置とした。【選択図】  図３
2006258313.tif 000002
【特許請求の範囲】
【請求項１】
一対のピストンを対向に配置した振動型圧縮機を有する冷凍機本体と、
地域の商用電源周波数を検出し、この商用電源周波数と一致するように前記振動型圧縮機の駆動周波数を切り換え制御する周波数検出制御部と、
切換えられた駆動周波数による交流駆動電力を供給して前記振動型圧縮機を駆動する駆動電源部と、
を備えることを特徴とするパルス管冷凍機。
【請求項２】
請求項１に記載のパルス管冷凍機において、
前記冷凍機本体は、
ピストンおよびこのピストンを往復動させる駆動部を含むリニアモータと、リニアモータが内部に収容されるシリンダと、を備え、シリンダの内部でピストンを往復動させて圧縮空間を区画形成し、この圧縮空間内の流体を周期的に圧縮する振動型圧縮機と、
振動型圧縮機に連結される膨張機と、
膨張機に連結される位相制御部と、
を備えることを特徴とするパルス管冷凍機。
【請求項３】
請求項２に記載のパルス管冷凍機において、
前記冷凍機本体は、
振動型圧縮機と膨張器との間に連結される接続管を備えることを特徴とするパルス管冷凍機。
【請求項４】
請求項３に記載のパルス管冷凍機において、
前記接続管は弦巻状のバネ様部を備え、
前記振動型圧縮機のピストン駆動方向とバネ様部の中心軸方向とが略平行に配置されることを特徴とするパルス管冷凍機。
【請求項５】
請求項１〜請求項４の何れか一項に記載のパルス管冷凍機を搭載するパルス管冷凍機搭載装置であって、
商用電源周波数と同じ動作周波数で各種信号処理を行う信号処理部を備え、
商用電源周波数、駆動周波数および動作周波数を一致させて信号処理部における振動の影響を低減させることを特徴とするパルス管冷凍機搭載装置。
【請求項６】
請求項１〜請求項４の何れか一項に記載のパルス管冷凍機を搭載するパルス管冷凍機搭載装置であって、
所定の動作周波数で各種信号処理を行う信号処理部を備え、
前記周波数検出制御部は信号処理部に接続され、地域の商用電源周波数を検出してこの商用電源周波数と一致するように信号処理部の動作周波数を切り換え制御するようになされ、商用電源周波数、駆動周波数および動作周波数を一致させて信号処理部における振動の影響を低減させることを特徴とするパルス管冷凍機搭載装置。
【請求項７】
請求項５または請求項６に記載のパルス管冷凍機を搭載するパルス管冷凍機搭載装置であって、
前記信号処理部は、商用電源周波数で振動する電源ノイズとともに、パルス管冷凍機の振動型圧縮機の機械振動により発生する駆動周波数と一致する振動ノイズを、信号から除去する電源ノイズ除去部を内蔵し、電源ノイズおよび振動ノイズが除去された信号に対して各種の処理を行うことを特徴とするパルス管冷凍機搭載装置。
【発明の詳細な説明】
【技術分野】
【０００１】
本発明は、機械振動による影響を排除するためのパルス管冷凍機およびパルス管冷凍機搭載装置に関する。
【背景技術】
【０００２】
パルス管冷凍機は寒冷を発生する機能を有し、各種装置に応用されている。このようなパルス管冷凍機の応用の一例として、ＥＤＳ（Energy Dispersive X-ray Fluorescence Spectrometer：エネルギー分散型Ｘ線分光法。ＥＤＸと略されることもある）を用いるエネルギー分散型半導体Ｘ線検出器（ＥＤＳ検出器）の冷却システムへの適用が検討されている。このようなパルス管冷凍機を用いるエネルギー分散型半導体Ｘ線検出器の従来技術が例えば、特許文献１に開示されている。
【０００３】
ここに従来技術のＥＤＳ検出器、および、このＥＤＳ検出器を搭載するエネルギー分散型半導体Ｘ線検出器（以下単に試料分析装置という）について図を参照しつつ説明する。図７は従来技術のＥＤＳ検出器を搭載する試料分析装置の説明図、図８はＥＤＳ検出器の説明図である。図７で示す試料分析装置１０００’は、ＥＤＳ検出器１０’、電子顕微鏡２０、試料室３０、本体４０、連結管５０、防振スタンド６０、錘７０、圧力変換バルブユニット８０、コンプレッサ９０、高圧ヘリウム配管１００、低圧ヘリウム配管１１０、コントローラ１２０を備える。
【０００４】
続いて各部構成について説明する。
ＥＤＳ検出器１０’は、さらに図８で示すように、クライオスタット１１、小型ガス循環式冷凍機１２、コールドフィンガー１３、Ｘ線検出素子部１４、移動部１５を備える。
【０００５】
クライオスタット１１は、さらに本体部１１ａ、筒状部１１ｂ、および、Ｘ線窓１１ｃを備える。Ｌ字状の筒である本体部１１ａには水平な筒状部１１ｂが連接され、さらに筒状部１１ｂには、Ｘ線窓１１ｃが設けられている。このＸ線窓１１ｃは真空を保持できる強度を持ち、かつ試料から放出された特性Ｘ線を透過する機能を有している。このようなクライオスタット１１内は使用時にその内部が外気と遮断されるとともに、図示しない真空ポンプ等により真空に保持される。
【０００６】
小型ガス循環式冷凍機１２は、さらに冷凍部本体１２ａおよび冷熱部１２ｂを備え、クライオスタット１１の本体部１１ａの上端部に冷凍部本体１２ａが設けられ、また、冷凍部本体１２ａから冷熱部１２ｂがクライオスタット１１の内部に延設されている。小型ガス循環式冷凍機１２は例えば圧縮機と膨張機とが分離されたＧＭ（ギフォード・マクマホンサイクル）方式のパルス管冷凍機である。この場合、冷凍部本体１２ａは膨張機であり、この冷凍部本体１２ａには連結管５０を介して圧縮機であるコンプレッサ９０（図７参照）からヘリウムガスが供給されている。なお、この小型ガス循環式冷凍機１２に対するヘリウムガスの供給構造については後述する。
【０００７】
コールドフィンガー１３は、図８で示すように、銅など熱伝導性の優れた素材を用いて、例えば略Ｌ字状に形成されている。コールドフィンガー１３は、クライオスタット１１の本体部１１ａおよびこれに連設された水平の筒状部１１ｂにわたる空間内に設けられる。コールドフィンガー１３の一端側は小型ガス循環式冷凍機１２の冷熱部１２ｂと熱的に結合されている。
【０００８】
Ｘ線検出素子部１４は、さらにＸ線検出素子１４ａ、温度センサ１４ｂを備える。Ｘ線検出素子１４ａは、試料から放出される特性Ｘ線を検出し、検出信号として図示しない検出信号処理部へ出力する機能を有している。このＸ線検出素子１４ａの前面には、特性Ｘ線を透過させるためのＸ線窓１１ｃが位置している。温度センサ１４ｂは、Ｘ線検出素子１４ａの温度を検出し、温度信号としてコントローラ１２０（図７参照）へ出力する機能を有している。このようなＸ線検出素子部１４は、コールドフィンガー１３の先端側に熱的に結合された状態で設けられる。
【０００９】
移動部１５は、さらに、ガイドベース１５ａ、ガイド部１５ｂ，１５ｃ、ガイドロッド１５ｄ、アクチュエータ１５ｅ、被ガイド部１５ｆを備える。
ガイドベース１５ａは、図７において、電子顕微鏡２０方向に延設され、電子顕微鏡２０の胴部から突設する取付け部に取り付けられる。
ガイド部１５ｂ，１５ｃは、ガイドベース１５ａに固定されている。
ガイドロッド１５ｄは、ガイド部１５ｂ，１５ｃ内の軸受部を摺動自在に挿通されている。
アクチュエータ１５ｅは、ガイドロッド１５ｄを矢印Ｆ方向（前進方向）または矢印Ｒ方向（後退方向）へ移動させるように駆動する。
被ガイド部１５ｆは、クライオスタット１１の本体部１１ａおよびガイドロッド１５ｄに取付け固定されている。これにより、ＥＤＳ検出器１０’は被ガイド部１５ｆとともに移動するようになされ、ガイドロッド１５ｄの移動に応じてＥＤＳ検出器１０’を矢印Ｆ方向（前進方向）または矢印Ｒ方向（後退方向）へスライドするように移動させる。
コントローラ１２０は、図７に示すように、本体４０の上面に載置され、ＥＤＳ検出器１０’（Ｘ線検出素子１４ａ）の冷却およびその前方または後方への移動を制御する。
ＥＤＳ検出器１０’はこのようなものである。
【００１０】
図７に戻るが、電子顕微鏡２０は、具体的には走査型電子顕微鏡（SEM：Scanning Electron Microscope）である。
試料室３０は、試料を載置するための仕切り空間である。この試料室３０では、電子ビームや特性Ｘ線により操作者に悪影響を与えないようにするため、また、二次電子、反射電子および特性Ｘ線を確実に検出するため、外界と内部空間とを確実に隔離するようになされている。
本体４０は、振動に強くするため、機械的に高剛性な材料により形成されている。さらに、図示しないが電源部など必要な機器を防振の上で収容している。
【００１１】
連結管５０は、さらに本体部分５１および可撓部分５２を備え、本体部分５１は圧力変換バルブユニット８０と接続され、可撓部分５２は冷凍部本体１２ａと接続される。連結管５０は圧力変換バルブユニット８０と冷凍部本体１２ａとの間の流路を確保し、所定の圧力に調整されたヘリウムガスを冷凍部本体１２ａに供給する。ここに可撓部分５２を採用する理由は、ＥＤＳ検出器１０’が図７，図８で示すように矢印Ｆ方向または矢印Ｒ方向への移動に対処するための構成である。
【００１２】
防振スタンド６０は、本体４０の近傍に立設され、連結管５０の本体部分５１を、棒状のスタンド本体６１の上下方向に沿わせて固定部６２によって固定保持させる。さらに連結管５０の可撓部分５２には、振動を抑止するための錘７０が複数個（例えば図７では２個）装着されている。
【００１３】
圧力変換バルブユニット８０、コンプレッサ９０、高圧ヘリウム配管１００、低圧ヘリウム配管１１０は、小型ガス循環式冷凍機１２に対するヘリウムガスの供給システムであり、圧力変換バルブユニット８０およびコンプレッサ９０は高圧ヘリウム配管１００および低圧ヘリウム配管１１０を介して接続されている。
【００１４】
続いて分析時の動作について説明する。図７で示す試料分析装置１０００’の試料室３０内にある試料ステージ（図示せず）に試料を載置し、扉を閉めて外界から隔離した後、コントローラ１２０の図示しない操作部から分析開始操作を行い、ＥＤＳ検出器１０’（Ｘ線検出素子１４ａ）を矢印Ｆ方向（前進方向）へ移動させるようにアクチュエータ１５ｅを駆動する。すると、ＥＤＳ検出器１０’が矢印方向Ｆ（前進方向）へ移動して試料へ前記Ｘ線検出素子１４ａを近づける。
【００１５】
続いて分析開始すると走査顕微鏡２０の電子銃から電子ビームが出力され、試料から二次電子や反射電子が放出される。二次電子は検出器に印加された１０ＫＶ（通常ＳＥＭ観察に用いられる加速電圧）の正の電位に引かれて、また反射電子は自らのエネルギーで、いずれも検出器表面に塗布された蛍光面に衝突して光に変換され、この光は光電子倍増管（ＰＭＴ）で増幅され、画像信号処理部で画像信号が生成されて出力される。この画像信号は観察用および撮影用のＣＲＴ等の表示部に出力される。
【００１６】
これと同時に、ＥＤＳ検出器１０’は、試料表面の微小部の元素分析を行う。コントローラ１２０は、先に説明した温度センサ１４ｂから温度信号を入力し、所定温度を維持するように小型ガス循環式冷凍機１２の温度制御を行う。Ｘ線検出素子１４ａは所定温度を維持する。このような状況下、走査顕微鏡２０の電子銃からの電子ビームが試料に当たると、特性Ｘ線も試料から飛び出る。この特性Ｘ線は元素の種類により、それ固有の波長を有している。Ｘ線検出素子１４ａはこのような特性Ｘ線を検出して検出信号処理部へ出力する。検出信号処理部は例えばコンピュータであり、検出信号から試料に含まれている元素を検出し、例えば、スペクトル分布を表示するというものである。また、それぞれのエネルギーについて強度を測定し、標準強度と比べることによって定量分析も可能となる。
そして分析終了時に自動的にＥＤＳ検出器１０’（Ｘ線検出素子１４ａ）を矢印Ｒ方向（後退方向）へ移動させるようにアクチュエータ１５ｅを駆動する。
試料分析装置１０００’はこのようなものである。
【００１７】
この試料分析装置の特徴として、特にＥＤＳ検出器１０’においては、圧力調整されたヘリウムガスを小型ガス循環式冷凍機１２の冷凍部本体１２ａに供給するための連結管５０の本体部分５１が防振スタンド６０のスタンド本体６１に固定されるとともに、その先端の可撓部分５２に防振用の錘７０が設けられているので、連結管５０の振動が抑止される。したがって、連結管５０内を圧力調整されたヘリウムガスが流れても、連結管５０の振動が抑制され、ＥＤＳ検出器１０’や電子顕微鏡２０などへ振動が伝わらないこととなり、精度良く所定の検出・画像取得が行われる。
【００１８】
なお、同様の従来技術として、例えば、特許文献２に記載された発明が知られている。
【００１９】
【特許文献１】特開平１０−３１１８７７号公報      （段落番号００１１〜００２２，図１，図２）
【特許文献２】実開平５−１７５８４号公報      （段落番号０００９〜００１７，図１）
【発明の開示】
【発明が解決しようとする課題】
【００２０】
上記のように、特許文献１では、圧縮機と膨張機とが分離されたＧＭ（ギフォード・マクマホンサイクル）方式の小型ガス循環式冷凍機１２を採用し、膨張機（冷凍部本体１２ａおよび冷熱部１２ｂ）を試料分析装置１０００’に搭載し、圧縮機（圧力変換バルブユニット８０、コンプレッサ９０、高圧ヘリウム配管１００、低圧ヘリウム配管１１０によるヘリウムガスの供給システム）は試料分析装置１０００’の横に配置し、連結管５０を介して作動ガスであるヘリウムガスを供給し、膨張機の膨張仕事によりＸ線検出素子１４ａを冷却している。
【００２１】
ここに、ＧＭ方式の小型ガス循環式冷凍機１２のコンプレッサ９０は、誘導モータを用いたレシプロ圧縮機またはスクロール圧縮機などのように、安価であるが大きな振動が発生するコンプレッサである。また、圧力変換バルブユニット８０では回転モータ式またはソレノイドバルブ式が用いられており、電子顕微鏡２０の防振機構（図示せず）の共振周波数（２〜４Ｈｚ）に近い運転周波数で切換えられるため、共振周波数に近い振動を発生する。これら振動が電子顕微鏡２０へ伝わると、わずかの発生振動でも数万倍になる電子顕微鏡２０の画像に悪影響を与える。また、Ｘ線検出でも影響を受ける。
【００２２】
そこでコンプレッサ９０や圧力変換バルブユニット８０の振動を伝達しないようにするため、特許文献１の装置では、上記のように連結管５０の可撓部分５２を介在させて、コンプレッサ９０や圧力変換バルブユニット８０で発生する振動を遮断するように構成している。さらに防振ウエイトである錘７０を調節して固有振動数を変化させて共振を防止し、発生振動を低減しようとしている。
【００２３】
しかしながら、このような連結管５０も、ＧＭ方式の小型ガス循環式冷凍機１２の作動ガスの圧力（数MPa）に耐えるために比較的剛性の高い金属のフレキシブル管で構成せざるを得ないため、数Ｈｚ〜１０Ｈｚの周波数の振動発生源となる。そこで連結管５０の低振動化のために質量を大きくして剛性を増す必要があり、重量物で大掛かりな装置になってしまっていた。また、取付長さや方向によって固有振動数が変化するため、発生力や変位を小さくすることには限界があった。
このような問題は特許文献２に記載された装置でも同様であった。
このように特許文献１，２では、検出精度を高めるためには、大型構造・重量物構造が回避できず、また、小型化すると除去できない振動により装置全体が振動し、例えば電子顕微鏡の画像やＸ線検出などで悪影響を与えるおそれがあった。
【００２４】
また、図示しないが、冷凍機のかわりに液体窒素により冷却する方式を採用した場合は、振動が発生しないように思われるが、液体窒素注入から沸騰がおさまるまでの一定時間およびランダムに発生するバブリング（気泡発生）により、この期間では同様に電子顕微鏡の画像に悪影響を与えるおそれがあった。また、液体窒素方式は、液体窒素の補充を週に２回程度行う必要があり、液体窒素の消耗費と保管費および人件費などのランニングコストが高くなるという課題もあった。
このように従来技術では冷却時に発生する振動が、試料分析装置に悪影響を及ぼすという問題があった。また、この振動を抑えるため従来技術のような大型構成が採用されており、小型化が困難であるという問題もあった。
【００２５】
そこで、本発明は上記した問題点に鑑みてなされたものであり、その目的は、パルス管冷凍機の発生する振動に影響を受けないようにするとともに小型化も実現するため、発生する振動の周波数を調整可能とするパルス管冷凍機、および、このようなパルス管冷凍機を搭載したパルス管冷凍機搭載装置を提供することにある。
【課題を解決するための手段】
【００２６】
上記課題を解決するため、本発明の請求項１に係る発明のパルス管冷凍機は、
一対のピストンを対向に配置した振動型圧縮機を有する冷凍機本体と、
地域の商用電源周波数を検出し、この商用電源周波数と一致するように前記振動型圧縮機の駆動周波数を切り換え制御する周波数検出制御部と、
切換えられた駆動周波数による交流駆動電力を供給して前記振動型圧縮機を駆動する駆動電源部と、
を備えることを特徴とする。
【００２７】
また、本発明の請求項２に係る発明のパルス管冷凍機は、
請求項１に記載のパルス管冷凍機において、
前記冷凍機本体は、
ピストンおよびこのピストンを往復動させる駆動部を含むリニアモータと、リニアモータが内部に収容されるシリンダと、を備え、シリンダの内部でピストンを往復動させて圧縮空間を区画形成し、この圧縮空間内の流体を周期的に圧縮する振動型圧縮機と、
振動型圧縮機に連結される膨張機と、
膨張機に連結される位相制御部と、
を備えることを特徴とする。
【００２８】
また、本発明の請求項３に係る発明のパルス管冷凍機は、
請求項２に記載のパルス管冷凍機において、
前記冷凍機本体は、
振動型圧縮機と膨張器との間に連結される接続管を備えることを特徴とする。
【００２９】
また、本発明の請求項４に係る発明のパルス管冷凍機は、
請求項３に記載のパルス管冷凍機において、
前記接続管は弦巻状のバネ様部を備え、
前記振動型圧縮機のピストン駆動方向とバネ様部の中心軸方向とが略平行に配置されることを特徴とする。
【００３０】
本発明の請求項５に係る発明のパルス管冷凍機搭載装置は、
請求項１〜請求項４の何れか一項に記載のパルス管冷凍機を搭載するパルス管冷凍機搭載装置であって、
商用電源周波数と同じ動作周波数で各種信号処理を行う信号処理部を備え、
商用電源周波数、駆動周波数および動作周波数を一致させて信号処理部における振動の影響を低減させることを特徴とする。
【００３１】
また、本発明の請求項６に係る発明のパルス管冷凍機搭載装置は、
請求項１〜請求項４の何れか一項に記載のパルス管冷凍機を搭載するパルス管冷凍機搭載装置であって、
所定の動作周波数で各種信号処理を行う信号処理部を備え、
前記周波数検出制御部は信号処理部に接続され、地域の商用電源周波数を検出してこの商用電源周波数と一致するように信号処理部の動作周波数を切り換え制御するようになされ、商用電源周波数、駆動周波数および動作周波数を一致させて信号処理部における振動の影響を低減させることを特徴とする。
【００３２】
また、本発明の請求項７に係る発明のパルス管冷凍機搭載装置は、
請求項５または請求項６に記載のパルス管冷凍機を搭載するパルス管冷凍機搭載装置であって、
前記信号処理部は、商用電源周波数で振動する電源ノイズとともに、パルス管冷凍機の振動型圧縮機の機械振動により発生する駆動周波数と一致する振動ノイズを、信号から除去する電源ノイズ除去部を内蔵し、電源ノイズおよび振動ノイズが除去された信号に対して各種の処理を行うことを特徴とする。
【発明の効果】
【００３３】
以上のような本発明によれば、パルス管冷凍機の発生する振動に影響を受けないようにするとともに小型化も実現するため、発生する振動の周波数を調整可能とするパルス管冷凍機、および、このようなパルス管冷凍機を搭載したパルス管冷凍機搭載装置を提供することができる。
【発明を実施するための最良の形態】
【００３４】
続いて、本発明を実施するための最良の形態について、図を参照しつつ説明する。図１は試料分析装置の説明図である。図２はＥＤＳ検出器の説明図、図３はパルス管冷凍器の説明図、図４は試料分析用回路の回路ブロック図であり、図４（ａ）は電子顕微鏡の回路ブロック図、図４（ｂ）はＥＤＳ検出器の回路ブロック図である。
なお、本形態では、パルス管冷凍機搭載装置の一具体例である試料分析装置を挙げて説明する。
【００３５】
図１で示すような本形態の試料分析装置１０００は、先に図７，図８を用いて説明した試料分析装置１０００’とは、試料室３０と本体４０との間に防振機構１３０を介在させた点と、構成を改良したＥＤＳ検出器１０を採用した点と、が相違する。
以下、相違点を重点的に説明し、他の構成は図７，図８を用いて説明した従来技術と同様であるとして同じ符号を付すとともにその重複する説明を省略する。
【００３６】
ＥＤＳ検出器１０は、図２で示すように、クライオスタット１１、パルス管冷凍機１（冷凍機本体１ａ・駆動電源部６・周波数検出制御部７）、コールドフィンガー１３、Ｘ線検出素子部１４、移動部１５を備える。このように従来技術のＧＭ方式の小型ガス循環方式冷凍機１２を用いるＥＤＳ検出器１０’に代えて、本形態のＥＤＳ検出器１０は、振動型圧縮機２を搭載したパルス管冷凍機１を用いる点が相違する。ＥＤＳ検出器１０におけるパルス管冷凍機１以外の構成は図７，図８を用いて説明した従来技術と同様であるとして同じ符号を付すとともにその重複する説明を省略する。
【００３７】
このパルス管冷凍機１について説明する。
パルス管冷凍機１は、図２，図３に示すように、振動型圧縮機２、接続管３、膨張機４、位相制御部５、駆動電源部６、周波数検出制御部７を備え、冷凍回路系の振動型圧縮機２、接続管３、膨張機４、位相制御部５からなる冷凍機本体１ａと、電源系の駆動電源部６、周波数検出制御部７に分けることができる。
【００３８】
振動型圧縮機２は、詳しくは、ピストン２ａおよびこのピストン２ａを往復動させる駆動部（図示せず）を含むリニアモータと、リニアモータが内部に収容されるシリンダ２ｂとを備える。一対のピストン２ａがシリンダ２ｂ内で向き合って対向している。
接続管３は、振動型圧縮機２と膨張機４との間に介在する。本形態では、振動型圧縮機２と膨張機４とを密接させて構成するため、短く形成される。
膨張機４は、詳しくは熱交換器４ａ、蓄冷器４ｂ、冷却端４ｃ、パルス管４ｄを備えている。
位相制御部５は、詳しくはイナータンスチューブ５ａとバッファタンク５ｂとを備えている。
これらのような振動型圧縮機２、接続管３、膨張機４、位相制御部５により冷凍回路系が形成される。流路内には作動ガス（冷媒ガス）として、例えば、ヘリウムガスが封入されている。
【００３９】
駆動電源部６は、商用電源を入力し、振動型圧縮機２が駆動する交流駆動電力を生成して供給する。
周波数検出制御部７は、商用電源を入力して商用電源周波数を検出し、駆動電源部６に対して検出した商用電源周波数と同じ駆動周波数の交流駆動電力を生成するように制御する。日本国内では、商用電源として東日本で５０Ｈｚ、西日本で６０Ｈｚの電源周波数が使用されており、東日本で駆動電源部６は５０Ｈｚの交流駆動電力を生成し、西日本で６０Ｈｚの交流駆動電力を生成する。
この制御により駆動電源部６は、周波数検出制御部７が決定した周波数の交流駆動電力を出力し、振動型圧縮機２はピストン２ａを振動させる。このピストン２ａの振動周波数は交流駆動電力の駆動周波数、つまり商用電源周波数と一致する。
【００４０】
続いてパルス管冷凍機１の動作原理について説明する。パルス管冷凍機１の運転時に、駆動電源部６は、商用電源と一致する駆動周波数の交流駆動電力を供給すると、振動型圧縮機２のシリンダ２ｂ内でピストン２ａが往復動作することにより、シリンダ２ｂ内の作動ガスが圧縮・膨張される。このような作動ガスは振動型圧縮機２から接続管３、熱交換器４ａ、蓄冷器４ｂ、冷却端４ｃ、パルス管４ｄ、熱交換器４ａ、イナータンスチューブ５ａ、バッファタンク５ｂまで到達する。作動ガスは、振動型圧縮機２と位相制御部５との間の一連の系の中で往復動流として流れる。
【００４１】
ここで作動ガスは、位相制御部５のイナータンスチューブ５ａとバッファタンク５ｂとの中を、ほぼ正弦波的に圧力振幅を伴って流れることにより、圧力変化と流量変化との間に位相差を発生させることができる。これら冷凍回路を電気回路に例えると、イナータンスチューブ５ａはインダクタンス成分と抵抗成分、バッファタンク５ｂはキャパシタンス成分に相当する。このような位相制御部５は、作動ガスの圧力に対する流量の位相差を−９０°から＋９０°まで変化させることができる。
【００４２】
このようにパルス管冷凍機１の運転時には、パルス管４ｄおよび位相制御部５による位相制御効果により、パルス管４ｄ内で作動ガスの圧力と流量との間に位相差が生じ、この圧力と流量とがなす仕事が冷却端４ｃでのＰＶ仕事となり、冷却端４ｃに寒冷を発生する。この発生寒冷を低温ＰＶ仕事と呼ぶ。
【００４３】
ここで、冷却端４ｃは前記のように蓄冷器４ｂとパルス管４ｄとの間に介装されている。パルス管冷凍機１の運転時には、振動型圧縮機２の圧縮工程で送り出された作動ガスは蓄冷器４ｂにおいて低温となってパルス管４ｄに流入し、パルス管４ｄの内部で断熱膨張してこれにより冷却端４ｃで吸熱し、作動ガスが位相制御部５に流出する。また、前記とは逆に作動ガスが位相制御部５からパルス管４ｄを通過して冷却端４ｃに還流する工程では、ほぼ一定体積で変化するため熱の発生または吸収は行わない。つまり冷却端４ｃでは発熱がなく吸熱のみなされ、寒冷を発生することとなる。この寒冷によりコールドフィンガー１３を介してＸ線検出素子１４ａが冷却される。
【００４４】
続いて、このような試料分析装置１０００の動作について特に振動抑制の観点から詳しく説明する。なお、周波数検出制御部７は、装置設置時などで商用電源を入力して商用電源周波数を検出し、駆動電源部６に対して検出した商用電源周波数と同じ駆動周波数の交流駆動電力を生成するように制御を終了しているものとする。日本国内では、商用電源として東日本で５０Ｈｚ、西日本で６０Ｈｚの電源周波数が使用されており、東日本で駆動電源部６は５０Ｈｚの交流駆動電力を生成し、西日本で６０Ｈｚの交流駆動電力を生成することとなる。
【００４５】
分析を開始すると電子顕微鏡２０およびＥＤＳ検出器１０が稼働する。ＥＤＳ検出器１０ではＸ線検出素子１４ａを冷却するため、パルス管冷凍機１を稼働させる。この際、商用電源周波数と同じ交流駆動電力が供給されてピストン２ａが往復動しているため、試料室３０および電子顕微鏡２０へ商用電源周波数と同じ周波数の機械振動が伝達される。この機械振動は、振動型圧縮機２のリニアモータとピストン振幅や質量、位相のアンバランスによる発生振動である。このような状態は従来技術よりも好ましくないように思われるがそうではない。機械的には電子顕微鏡２０の防振機構１３０の共振周波数（２〜４Ｈｚ）から外れるため、機械的な共振が発生することなく、防振機構１３０でこの振動を制振して電子顕微鏡２０およびＥＤＳ検出器１０への機械振動が生じないようにすることができる。
【００４６】
このような状況下、電子顕微鏡２０の信号処理部（本発明の信号処理部の一具体例である）では、図４（ａ）で示すように、電子銃部２１から電子ビームが照射されると、集束レンズ２２を経て走査コイル２３に到達し、走査コイル２３での磁場あるいは電場によりその軌道を変えて、対物レンズ・絞り２４により電子線を一点に収束させることができる。この走査コイル２３には走査制御部２５が接続され、走査コイル２３の偏向制御を行って試料表面をＸ，Ｙの２方向に走査している。走査制御部２５はＣＲＴ表示部２６にも接続され、ＣＲＴ表示部２６は走査位置に対応した表示を行う。この走査では垂直同期信号の同期周波数（本発明の信号処理部の動作周波数の一具体例である）が例えば電源周波数と同じ６０Ｈｚである場合、周波数検出制御部７が、商用電源周波数と同じ６０Ｈｚの駆動周波数の交流駆動電力を生成するように駆動電源部６を制御するため、垂直同期信号の同期周波数、電源周波数および交流駆動電力の駆動周波数が６０Ｈｚで一致し、特に垂直同期信号へ異なる周波数のノイズが混入しなくなって発生振動による画像の揺らぎをなくし、鮮明な画像を得ることができる。
【００４７】
さらに、電子ビームが照射された試料から二次電子や反射電子が放射される。検出部２７は、これら電子を検出して、検出信号を出力する。この検出信号には機械振動に起因する振動ノイズおよび電源ノイズが重畳されているが、周波数分布では電源周波数と一致する周波数（東日本で５０Ｈｚ、西日本で６０Ｈｚ）のみ著しく大きくなったノイズである。このようなノイズを含む検出信号が入力された画像信号処理部２８では、画像信号処理部２８に内蔵される電源ノイズ除去部（図示せず）が電源周波数に合致した周波数成分を除去する処理を行う。このような電源ノイズ除去部は、例えば、バンドパスフィルターやハイパスフィルターである。これにより、電源ノイズおよび振動ノイズが共に除去される。画像信号処理部２８は、ノイズが除去された検出信号を用いて画像信号処理を行うため、この点でも鮮明な画像を得ることができる。
本発明者は、検証のため実験を行い、本形態の試料分析装置１０００は倍率１０万倍でも通常の液体窒素冷却の安定時（バブリングがない状態）における場合と画像に差がないことを確認した。
【００４８】
同様にＥＤＳ検出器１０でも、図４（ｂ）で示すように、電子顕微鏡２０の電子銃部２１から電子ビームが試料に向けて照射されると、試料から特性Ｘ線が放射される。Ｘ線検出素子部１４ａ（図２参照）は、特性Ｘ線を検出して、Ｘ線検出信号を出力する。このＸ線検出信号にも機械振動に起因する振動ノイズおよび電源ノイズが重畳されているが、周波数では電源周波数と一致する周波数（東日本で５０Ｈｚ、西日本で６０Ｈｚ）のみ著しく大きいノイズである。このようなノイズを含む検出信号を入力した検出信号処理部１６では、検出信号処理部１６に内蔵される電源ノイズ除去部が電源周波数に合致した周波数成分を除去する処理を行う。このような電源ノイズ除去部は、例えば、バンドパスフィルターやハイパスフィルターである。これにより、電源ノイズおよび振動ノイズが共に除去される。検出信号処理部１６は、ノイズが除去されたＸ線検出信号を用いてスペクトル分析処理を行うため、発生振動による影響をなくした正確な処理を行うことができる。
【００４９】
以上本形態について説明した。本形態ではその地域の商用周波数に合致するように選定する周波数検出制御部７を設け、パルス管冷凍機１の振動型圧縮機２のリニアモータの駆動周波数を変更できるようにした。これにより、機械振動の主成分は、商用電源周波数と一致したほぼ正弦波となり、電子顕微鏡の画像処理時には、電源ノイズとともに振動ノイズも除去することができる。
【００５０】
なお、電子顕微鏡２０の信号処理部を更に改良した形態とすることもできる。図５は他の試料分析用回路の回路ブロック図であり、図５（ａ）は電子顕微鏡の回路ブロック図、図５（ｂ）はＥＤＳ検出器の回路ブロック図である。本形態では図４を用いて説明した形態と比較すると、走査制御部２５に周波数検出制御部７を接続し、周波数検出制御部７が、商用電源を入力して商用電源周波数を検出し、走査制御部２５に対して検出した商用電源周波数と同じ同期周波数の垂直同期信号を生成するように制御する。日本国内では、商用電源として東日本で５０Ｈｚ、西日本で６０Ｈｚの電源周波数が使用されており、東日本で走査制御部２５は５０Ｈｚの垂直同期信号を生成し、西日本で６０Ｈｚの垂直同期信号を生成する。
【００５１】
このような信号処理部では、以下のような処理を行う。図５（ａ）で示すように、電子銃部２１から電子ビームが照射されると、集束レンズ２２を経て走査コイル２３に到達し、走査コイル２３での磁場あるいは電場によりその軌道を変えて、対物レンズ・絞り２４により電子線を一点に収束させることができる。この走査コイル２３には走査制御部２５が接続され、走査コイル２３の偏向制御を行って試料表面をＸ，Ｙの２方向に走査している。走査制御部２５はＣＲＴ表示部２６にも接続され、ＣＲＴ表示部２６は走査位置に対応して表示している。ここで周波数検出制御部７が、商用電源周波数と同じ周波数の駆動周波数の交流駆動電力を生成するように駆動電源部６を制御するとともに、商用電源周波数と同じ同期周波数の垂直同期信号を生成するように走査制御部２５を制御する。このため走査制御部２５の走査では垂直同期信号の同期周波数（本発明の信号処理部の動作周波数である）が例えば電源周波数と同じ（東日本で５０Ｈｚ、西日本で６０Ｈｚ）に変更され、垂直同期信号の同期周波数、電源周波数および交流駆動電力の駆動周波数が一致するため、特に垂直同期信号へ異なる周波数のノイズが混入しなくなって発生振動による画像の揺らぎをなくし、鮮明な画像を得ることができる。
【００５２】
さらに、電子ビームが照射された試料から二次電子や反射電子が放射される。検出部２７は、これら電子を検出して、検出信号を出力する。この検出信号には機械振動に起因する振動ノイズおよび電源ノイズが重畳されているが、周波数分布では電源周波数と一致する周波数（東日本で５０Ｈｚ、西日本で６０Ｈｚ）のみ著しく大きくなったノイズである。このようなノイズを含む検出信号が入力された画像信号処理部２８では、画像信号処理部２８に内蔵される電源ノイズ除去部（図示せず）が電源周波数に合致した周波数成分を除去する処理を行う。このような電源ノイズ除去部は、例えば、バンドパスフィルターやハイパスフィルターである。これにより、電源ノイズおよび振動ノイズが共に除去される。画像信号処理部２８は、ノイズが除去された検出信号を用いて画像信号処理を行うため、この点でも鮮明な画像を得ることができる。
本発明者は、検証のため実験を行い、倍率１０万倍でも通常の液体窒素冷却の安定時（バブリングがない状態）における場合と画像に差がないことを確認した。
【００５３】
同様にＥＤＳ検出器１０でも、図５（ｂ）で示すように、電子顕微鏡２０の電子銃部２１から電子ビームが試料に向けて照射されると、試料から特性Ｘ線が放射される。Ｘ線検出素子部１４ａ（図２参照）は、特性Ｘ線を検出して、Ｘ線検出信号を出力する。このＸ線検出信号にも機械振動に起因する振動ノイズおよび電源ノイズが重畳されているが、周波数では電源周波数と一致する周波数（東日本で５０Ｈｚ、西日本で６０Ｈｚ）のみ著しく大きいノイズである。このようなノイズを含む検出信号を入力した検出信号処理部１６では、検出信号処理部１６に内蔵される電源ノイズ除去部が電源周波数に合致した周波数成分を除去する処理を行う。このような電源ノイズ除去部は、例えば、バンドパスフィルターやハイパスフィルターである。これにより、電源ノイズおよび振動ノイズが共に除去される。検出信号処理部１６は、ノイズが除去されたＸ線検出信号を用いてスペクトル分析処理を行うため、発生振動による影響をなくした正確な処理を行うことができる。
【００５４】
続いて、本発明の他の形態について、図を参照しつつ説明する。図６は他の形態の試料分析装置の説明図である。なお、本形態でもパルス管冷凍機搭載装置の一具体例として試料分析装置を挙げて説明する。本形態では、先に説明した試料分析装置と比較するとパルス管冷凍機１の構造が相違するものであり、図１で示したパルス管冷凍機では接続管３が殆どなく、振動型圧縮機２、膨張機４および位相制御部５を一体に形成したが、本形態では、振動型圧縮機２を他所に配置するため接続管３を長くするとともに、機械振動を伝えないようにする点が相違する。
以下、相違点を重点的に説明し、他の構成は図１〜図５，図７，図８を用いて説明した先の形態および従来技術と同様であるとして同じ符号を付すとともにその重複する説明を省略する。
【００５５】
振動型圧縮機２は、図６で示すように、本体４０上に配置されている。なお、図示しないが、本体４０と振動型圧縮機２との間にも、図示しない防振機構を配置し、振動型圧縮機２からの機械振動を本体４０へ伝えないようにしても良い。
接続管３は、図に示すように弦巻状のバネ様部３ａが形成され、振動型圧縮機２から振動方向に対して垂直に伸びる管と、膨張機から振動方向に伸びる管とを接続している。このようにバネ様部３ａは、接続管３の方向を変更する（図では９０度変化させている）とともに、矢印Ａ方向、つまり機械振動方向の振動を吸収する機能も有している。このバネ様部３ａは直径を変化させることでバネ定数が変更でき、防振機構１４０の共振周波数を回避するように周波数の調整に利用することも可能である。
【００５６】
このような試料分析装置２０００では、パルス管冷凍機１の振動型圧縮機２と膨張機４を分離するとともに振動絶縁する接続管３を介在させる構成とすることで、先の形態で得られる振動による影響を排除する効果に加え、電子顕微鏡２０は、振動型圧縮機２からの機械振動の影響をさらに低減できる。また、振動型圧縮機２が別置されるためＥＤＳ検出器１０の小型化が可能となり、膨張機４をよりＸ線検出素子１４ａの近傍に設置できるため、熱損失を小さくして、より効果的にＸ線検出器を冷却することができる。
【００５７】
以上、各形態について説明した。本形態では、試料分析装置、特にエネルギー分散型半導体Ｘ線検出器を例に挙げて説明したが、試料分析装置に限定する趣旨ではなく、パルス管冷凍機を搭載するとともに、各種の信号処理を行うようなパルス管冷凍機搭載装置での適用が可能である。
また、パルス管冷凍機の最適化を５０〜６０Ｈｚの範囲で実施しておくことによりいずれの周波数が選定されても所要の冷凍能力が得られるようにしても良い。
【００５８】
また、先の形態では、周波数検出制御部７は、ピストンの往復動の運転周波数を地域の電源周波数に合わせて自動に切換えるものとしたが、周波数検出制御部７に図示しない切換えスイッチを搭載して手動で切り替えるようにしてもよい。
【００５９】
以上、本発明によれば、一対のピストンを対向に配置した往復動圧縮機と、熱交換器、蓄冷器、パルス管からなる膨張機および位相制御部を備えたパルス管冷凍機の、前記往復動圧縮機の駆動周波数を地域の商用電源周波数と一致するように切り替える周波数検出制御部を設けたことで、冷凍機の発生力による発生振動の基本周波数を商用電源周波数と一致させることができる。
【００６０】
これにより、電子顕微鏡の画像処理で用いられている電源ノイズのキャンセリング機能で発生振動の影響を軽減できるので、従来のＧＭ冷凍機方式に比べて、コンパクトで良質な画像が得られる試料分析装置を構築することができる。また、ＧＭ冷凍機では必須であった圧縮機のオイルや気液分離フィルター、膨張機の摺動ピストンのメンテナンスもなくすことができるのでランニングコストの低減も可能である。
【００６１】
また、液体窒素冷却で生じていた液体窒素補給後の安定化のための待ち時間、およびランダムに発生するバブリングの影響も皆無とすることができる。さらに、液体窒素の補給、及び補給作業をなくすことができるのでランニングコストの低減も可能である。
【図面の簡単な説明】
【００６２】
【図１】試料分析装置の説明図である。
【図２】ＥＤＳ検出器の説明図である。
【図３】パルス管冷凍器の説明図である。
【図４】試料分析用回路の回路ブロック図であり、図４（ａ）は電子顕微鏡の回路ブロック図、図４（ｂ）はＥＤＳ検出器の回路ブロック図である。
【図５】他の試料分析用回路の回路ブロック図であり、図５（ａ）は電子顕微鏡の回路ブロック図、図５（ｂ）はＥＤＳ検出器の回路ブロック図である。
【図６】他の形態の試料分析装置の説明図である。
【図７】従来技術のＥＤＳ検出器を搭載する試料分析装置の説明図である。
【図８】ＥＤＳ検出器の説明図である。
【符号の説明】
【００６３】
１０００，２０００：試料分析装置
１０：ＥＤＳ検出器
１１：クライオスタット
１１ａ：本体部
１１ｂ：筒状部
１１ｃ：Ｘ線窓
１：パルス管冷凍機
１ａ：冷凍機本体
２：振動型圧縮機
２ａ：ピストン
２ｂ：シリンダ
３：接続管
３ａ：バネ様部
４：膨張機
４ａ：熱交換器
４ｂ：蓄冷器
４ｃ：冷却端
４ｄ：パルス管
５：位相制御部
５ａ：イナータンスチューブ
５ｂ：バッファタンク
６：駆動電源部
７：周波数検出制御部
１３：コールドフィンガー
１４：Ｘ線検出素子部
１４ａ：Ｘ線検出素子
１４ｂ：温度センサ
１５：移動部
１５ａ：ガイドベース
１５ｂ，１５ｃ：ガイド部
１５ｄ：ガイドロッド
１５ｅ：アクチュエータ
１５ｆ：被ガイド部
１６：電源ノイズ除去部
１７：検出信号処理部
２０：電子顕微鏡
２１：電子銃部
２２：集束レンズ
２３：走査コイル
２４：対物レンズ
２５：走査制御部
２６：ＣＲＴ表示部
２７：検出部
２８：画像信号処理部
３０：試料室
４０：本体
５０：連結管
５１：本体部分
５２：可撓部分
６０：防振スタンド
７０：錘
８０：圧力変換バルブユニット
９０：コンプレッサ
１００：高圧ヘリウム配管
１１０：低圧ヘリウム配管
１２０：コントローラ
１３０：防振機構
【図１】
2006258313.tif 000003
【図２】
2006258313.tif 000004
【図３】
2006258313.tif 000005
【図４】
2006258313.tif 000006
【図５】
2006258313.tif 000007
【図６】
2006258313.tif 000008
【図７】
2006258313.tif 000009
【図８】
2006258313.tif 000010